(57)【要約】【課題】  本発明は、開口を簡単に開閉でき、該開口から商品の出し入れをすることができる収納ケースを提供することを課題とする。【解決手段】本発明の収納ケースは、シート材を組み立てて形成されており、底面壁２と、底面壁２の上方に起立された正面壁３及び背面壁４と、正面壁３及び背面壁４の間に連設された左右側面壁５と、を有し、正面壁３と左右側面壁５の境界には、正面壁３の上辺の一端部３３ａ及び他端部３３ｂからそれぞれ下方に延びる傾斜状の一対の折り罫線３２が形成され、正面壁３の上辺の両端部と背面壁４の上辺の両端部が連設され、正面壁３の上辺には、上方に延出された正面延出片３５が設けられ、且つ背面壁４の上辺には、上方に延出された背面延出片が設けられている。【選択図】  図１
2008285197.tif 000002
【特許請求の範囲】
【請求項１】
シート材を組み立てて形成されており、
底面壁と、前記底面壁の上方に起立され且つ前後に対向する正面壁及び背面壁と、前記底面壁の上方に起立され且つ正面壁及び背面壁の間に連設された右側面壁及び左側面壁と、を有し、底面壁を下にして自立可能な収納ケースであって、
前記正面壁と左右側面壁の境界には、正面壁の上辺の一端部及び他端部からそれぞれ下方に延びる左右一対の折り罫線が形成され、前記一対の折り罫線は、下方に向かうに従って互いに近づくように傾斜しており、
前記背面壁と左右側面壁の境界には、背面壁の上辺の一端部及び他端部からそれぞれ下方に延びる左右一対の折り罫線が形成され、前記一対の折り罫線は、下方に向かうに従って互いに近づくように傾斜しており、
前記正面壁の上辺の一端部と背面壁の上辺の一端部が連設され、且つ前記正面壁の上辺の他端部と背面壁の上辺の他端部が連設されていると共に、
前記正面壁の上辺には、上方に延出された正面延出片が設けられ、且つ背面壁の上辺には、上方に延出された背面延出片が設けられていることを特徴とする収納ケース。
【請求項２】
前記左側面壁の面内及び右側面壁の面内には、上下方向に延びる折り罫線がそれぞれ形成され、この折り罫線において左側面壁及び右側面壁が山折りされ、左側面壁及び右側面壁が外側に膨らんでいる請求項１に記載の収納ケース。
【請求項３】
前記正面壁と左右側面壁の境界に形成された左右一対の折り罫線、又は、背面壁と左右側面壁の境界に形成された左右一対の折り罫線のうち、少なくともいずれかの一対の折り罫線が、側面壁側へと膨らんだ形状に形成されている部分を有する請求項１または２に記載の収納ケース。
【請求項４】
前記正面延出片の上辺と背面延出片の上辺が一体的に連設されている請求項１〜３のいずれかに記載の収納ケース。
【発明の詳細な説明】
【技術分野】
【０００１】
本発明は、シート材を組み立てて形成した収納ケースに関する。
【背景技術】
【０００２】
従来、各種の商品を包装する収納ケースは、様々な形態のものが知られている。
このうち、比較的安価に製造でき、更に、不使用時には折り畳んで扁平状にして保管できるなどの理由から、合成樹脂製シート、厚紙などのシート材を組み立てた収納ケースが多用されている。
このようなシート材を組み立てた収納ケースの中で、その代表的な形態は、内部に収納部を有する直方体状に形成されているものである。
【０００３】
具体的には、直方体状の収納ケースは、矩形状の底面壁と、該底面壁の対向二辺に連設され且つ上方に起立された前後に対向する正面壁及び背面壁と、底面壁の残る対向二辺に連設され且つ正背面壁の各側辺に連設された右側面壁及び左側面壁と、正背面壁の上辺及び左右側面壁の上辺によって形成される矩形状の上面開口部を閉塞する蓋面壁と、を有し、蓋面壁が、正面壁の上辺に折曲げ自在に連設されている。
かかる直方体状の収納ケースは、開口から収納部内に商品を入れ、且つ蓋面壁を折り曲げて開口を閉じた後、保管・搬送などに供される。また、蓋面壁を外すことにより、商品を取り出すことができる。
【発明の開示】
【発明が解決しようとする課題】
【０００４】
しかしながら、従来の包装ケースは、商品を出し入れする際に、蓋面壁を曲げたり或いは戻したりして、蓋面壁の開閉をしなければならない。この蓋面壁の開閉作業が面倒である。また、上記直方体状の収納ケースは、形態的にありふれているため、異なる形態の収納ケースが求められる。
【０００５】
そこで、本発明は、開口を簡単に開閉して商品の出し入れをすることができる収納ケースを提供することを課題とする。
【課題を解決するための手段】
【０００６】
本発明の収納ケースは、シート材を組み立てて形成されており、底面壁と、底面壁の上方に起立され且つ前後に対向する正面壁及び背面壁と、底面壁の上方に起立され且つ正面壁及び背面壁の間に連設された右側面壁及び左側面壁と、を有し、底面壁を下にして自立可能な収納ケースであって、正面壁と左右側面壁の境界には、正面壁の上辺の一端部及び他端部からそれぞれ下方に延びる左右一対の折り罫線が形成され、この一対の折り罫線は、下方に向かうに従って互いに近づくように正面壁の上辺に対して傾斜しており、背面壁と左右側面壁の境界には、背面壁の上辺の一端部及び他端部からそれぞれ下方に延びる左右一対の折り罫線が形成され、この一対の折り罫線は、下方に向かうに従って互いに近づくように背面壁の上辺に対して傾斜しており、正面壁の上辺の一端部と背面壁の上辺の一端部が連設され、且つ正面壁の上辺の他端部と背面壁の上辺の他端部が連設されていると共に、正面壁の上辺には、上方に延出された正面延出片が設けられ、且つ背面壁の上辺には、上方に延出された背面延出片が設けられていることを特徴とする。
【０００７】
上記収納ケースは、正面壁の上辺と背面壁の上辺が連設されていないので、正面壁の上辺と背面壁の上辺の間に、細長い開口を有する。
上記収納ケースは、正面壁の上辺の一端部と背面壁の上辺の一端部とが連設され、且つ正面壁の上辺の他端部と背面壁の上辺の他端部とが連設されているので、正面壁の上辺と背面壁の上辺が対向すると共に、正面壁と背面壁は、その上辺から下方に向かうに従って離反した、屋根型状に配置される。
かかる正面壁の上辺には正面延出片が延出され、且つ背面壁の上辺には背面延出片が延出されているので、正面延出片の上方部内面と背面延出片の上方部内面が面接触する。このため、上記正面壁と背面壁の上辺間の開口を塞ぐことができる。
一方、左右側面壁を内側に押圧することにより、正面壁及び正面延出片と背面壁及び背面延出片が変形し、上記開口を開けることができる。
【０００８】
本発明の好ましい収納ケースは、上記左側面壁の面内及び右側面壁の面内には、上下方向に延びる折り罫線がそれぞれ形成され、この折り罫線において左側面壁及び右側面壁が山折りされ、左側面壁及び右側面壁が外側に膨らんでいる構成である。
【０００９】
かかる好ましい収納ケースは、左右の側面壁が折り罫線を介して山折りされているので、この折り罫線の部分において側面壁を内側に押圧することにより、正面壁及び正面延出片と背面壁及び背面延出片が大きく変形し、上記開口を大きく開けることができる。
【００１０】
本発明の他の好ましい収納ケースは、上記正面壁と左右側面壁の境界に形成された左右一対の折り罫線、又は、背面壁と左右側面壁の境界に形成された左右一対の折り罫線のうち、少なくとも何れかの一方の一対の折り罫線が、側面壁側へと膨らんだ形状に形成されている部分を有する構成である。
【００１１】
かかる好ましい収納ケースは、上記正面延出片の上方部内面と背面延出片の上方部内面が強く密着し、上記開口をより確実に塞ぐことができる。
【００１２】
本発明の他の好ましい収納ケースは、上記正面延出片の上辺と背面延出片の上辺が一体的に連設されている構成である。
【発明の効果】
【００１３】
本発明に係る収納ケースは、正面壁の上辺と背面壁の上辺の間に形成される開口を、正面延出片の内面と背面延出片の内面が接することにより閉塞できる。該収納ケースは、左右の側面壁を内側へ押圧することにより、正面延出片及び背面延出片が変形し、上記開口を開けることができる。
本発明の収納ケースによれば、蓋面などの開閉作業を伴わずに、商品を出し入れするための開口を開閉することができる。
【発明を実施するための最良の形態】
【００１４】
以下、本発明について、図面を参照しつつ具体的に説明する。
ただし、本発明に於いて、収納ケースの底面壁を下側にし、且つ収納ケースの一面を正面として視た場合を基準にして、上下左右という方向を示す用語を便宜上用いている。
【００１５】
＜第１実施形態＞
図１〜図５に於いて、１は、本発明の一実施形態の収納ケースを示す。
収納ケース１は、後述するように、シート材を組み立てて形成されている。
該収納ケース１は、底面壁２と、前記底面壁２の上方に起立され且つ前後に対向する正面壁３及び背面壁４と、底面壁２の上方に起立され且つ正壁面３及び背面壁４の間に連設された右側面壁５及び左側面壁６と、を有する。
収納ケース１は、底面壁２を下側にして自立可能な自立型ケースであり、該底面壁２の上方に起立された正背面壁３，４及び左右側面壁５，６によって囲われた内部に、商品を収納する収納部９が形成されている。
【００１６】
上記収納ケース１は、可撓性のあるシート材を組み立てることによって形成されている。
該シート材としては、ポリプロピレン、ポリエチレンなどのポリオレフィン系、ポリエチレンテレフタレートなどのポリエステル系、ポリスチレン系、ポリアミド系などの各種合成樹脂製シート、紙、合成紙などの各種シートを用いることができる。また、シート材は、同種又は異種の積層シートでもよい。中でも、収納した商品を外部から視認できることから、透明（無色透明又は有色透明）なシート材を用いることが好ましい。
シート材の厚みは、特に限定されないが、例えば、合成樹脂製シートの場合には、０．２ｍｍ〜１．０ｍｍ程度が例示される。
中でも、適度な剛性と柔軟性を有することから、厚み０．２ｍｍ〜０．６ｍｍ程度の透明なポリプロピレンのシートを用いることが好ましい。
【００１７】
底面壁２は、例えば、矩形状（好ましくは、正方形を含む菱形状）に形成されている。
この底面壁２の隣合う２辺２１，２２に、折り罫線を介して右側面壁５が連設され、底面壁２の残る隣合う２辺２３，２４に、折り罫線を介して左側面壁６が連設されている。
なお、底面壁２は、複数の底面形成片を組み合わせることによって形成されている。
【００１８】
正面壁３は、底面壁２の上方に起立されている。本実施形態では、正面壁３の面形状は、逆三角形状に形成されている。
具体的には、正面壁３は、上辺３３と、左右の側面壁５，６の境界に形成された左右一対の折り罫線３１，３２と、によって区画された面部である。以下、この一対の折り罫線３１，３２のうち、正面壁３を正面から視た状態を基準に、右側を「正面右折り罫線３１」、左側を「正面左折り罫線３２」という場合がある。
ただし、正面壁３の上辺３３には、正面延出片３５が一体的に延出されているので、該上辺３３の形状は現れず、該正面壁３の上辺３３は仮想の辺である。なお、正面壁３の上辺３３となる箇所を、図面上において実線で示している。
【００１９】
上記正面右折り罫線３１は、この上辺３３の一端部３３ａを始点として下方に延び、一方、正面左折り罫線３２は、この上辺３３の他端部３３ｂを始点として下方に延びている。この一対の折り罫線３１，３２は、下方に向かうに従って互いに近づき、底面壁２の一つの角部２ａにまで形成されている。従って、この一対の折り罫線３１，３２は、下方に向かうに従って互いに近づくように正面壁３の上辺３３に対して傾斜し、且つ各折り罫線３１，３２の下端部が底面壁２の角部２ａに連設されている。よって、正面壁３は、折り罫線３１，３２の下端部を頂点とする逆三角形状に形成されている。
さらに、正面右折り罫線３１は、その上端部（上辺３３の一端部３３ａ）から下端部（底面壁２の角部２ａ）までの間が、右側面壁５側に膨らんだ弧状に形成されている。正面左折り罫線３２も同様に、その上端部（上辺３３の他端部３３ｂ）から下端部（底面壁２の角部２ａ）までの間が、左側面壁６側へと膨らんだ弧状に形成されている。
【００２０】
次に、背面壁４は、底面壁２の上方に起立されている。本実施形態では、背面壁４の面形状は、逆三角形状に形成されている。
具体的には、背面壁４は、上辺４３と、左右の側面壁５，６の境界に形成された左右一対の折り罫線４１，４２と、によって区画された面部である。以下、この一対の折り罫線４１，４２のうち、正面壁３を正面から見た状態を基準に、右側を「背面右折り罫線４１」、左側を「背面左折り罫線４２」という場合がある。
ただし、正面壁４の上辺４３には、背面延出片４５が一体的に延出されているので、該上辺４３の形状は現れず、該背面壁４の上辺４３は仮想の辺である。なお、背面壁４の上辺４３となる箇所を、図面上において実線で示している。
【００２１】
上記背面右折り罫線４１は、この上辺４３の一端部４３ａを始点として下方に延び、一方、背面左折り罫線４２は、この上辺４３の他端部４３ｂを始点として下方に延びている。この一対の折り罫線４１，４２は、下方に向かうに従って互いに近づき、底面壁２の他の角部２ｂにまで形成されている。なお、この底面壁２の他の角部２ｂは、上記正面壁３の一対の折り罫線３１，３２の下端部が連設された角部２ａと、対角線上に位置する関係にある。
従って、背面壁４の一対の折り罫線４１，４２は、下方に向かうに従って互いに近づくように背面壁４の上辺４３に対して傾斜し、且つ各折り罫線４１，４２の下端部が底面壁２の角部２ｂに連設されている。よって、背面壁４は、折り罫線４１，４２の下端部を頂点とする逆三角形状に形成されている。
さらに、背面右折り罫線４１は、その上端部（上辺４３の一端部４３ａ）から下端部（底面壁２の角部２ｂ）までの間が、右側面壁５側に膨らんだ弧状に形成されている。背面左折り罫線４２も同様に、その上端部（上辺４３の他端部４３ｂ）から下端部（底面壁２の角部２ｂ）までの間が、左側面壁６側へと膨らんだ弧状に形成されている。
【００２２】
上記正面壁３の上辺３３の一端部３３ａと背面壁４の上辺４３の一端部４３ａは、連設されており、さらに、正面壁３の上辺３３の他端部３３ｂと背面壁４の上辺４３の他端部４３ｂも連設されている。従って、正面壁３の上辺３３と背面壁４の上辺４３は、その一端部３３ａ，４３ａ及び他端部３３ｂ，４３ｂが一致している。また、正面壁３の上辺３３と背面壁４の上辺４３は、略平行となっており、この正面壁３の上辺３３と背面壁４の上辺４３の間には、細長い開口を有する。
【００２３】
一方、右側面壁５は、底面壁２の上方に起立され且つ正面壁３及び背面壁４の間に連設されている。本実施形態では、右側面壁５の面形状は、三角形状に形成されている。
具体的には、右側面壁５は、下辺と、正面壁３の正面右折り罫線３１と、背面壁４の背面右折り罫線４１と、によって区画された面部である。
右側面壁５の下辺は、底面壁２の隣合う２辺２１，２２に形成された折り罫線を介して、底面壁２に連設されている。また、右側面壁５の一方の側部は、正面右折り罫線３１を介して正面壁３に連設され、右側面壁５の他方の側部は、背面右折り罫線４１を介して背面壁４に連設されている。上記正面右折り罫線３１及び背面右折り罫線４１の傾斜に従い、右側面壁５の両側部は、下方に向かうに従って互いに離れるように傾斜状に形成されている。
この右側面壁５の面内には、正面壁３の上辺３３の一端部３３ａ（背面壁４の上辺４３の一端部４３ａと同じ）から底面壁２の他の角部２ｃ（底面壁２の隣合う２辺２１，２２の連設部分）にかけて、折り罫線５１が形成されている。以下、この折り罫線５１を「右側面折り罫線５１」という場合がある。
従って、右側面壁５は、正面壁３の上辺３３の一端部３３ａを頂点とする三角形状に形成されており、且つ、右側面折り罫線５１を稜線として山折りされ、外側に膨らんでいる。
なお、５２は、シート材を組立てて収納シート１を形成する際の糊代片である。
【００２４】
次に、左側面壁６は、底面壁２の上方に起立され且つ正面壁３及び背面壁４の間に連設されている。本実施形態では、左側面壁６の面形状は、三角形状に形成されている。
具体的には、左側面壁６は、下辺と、正面壁３の正面左折り罫線３２と、背面壁４の背面左折り罫線４２と、によって区画された面部である。
左側面壁６の下辺は、底面壁２の残る隣合う２辺２３，２４に形成された折り罫線を介して、底面壁２に連設されている。また、左側面壁６の一方の側部は、正面左折り罫線３２を介して正面壁３に連設され、左側面壁６の他方の側部は、背面左折り罫線４２を介して背面壁４に連設されている。上記正面左折り罫線３２及び背面左折り罫線４２の傾斜に従い、左側面壁６の両側部は、下方に向かうに従って互いに離れるように傾斜状に形成されている。
この左側面壁６の面内には、正面壁３の上辺３３の他端部３３ｂ（背面壁４の上辺４３の他端部４３ｂと同じ）から底面壁２の他の角部２ｄ（底面壁２の残る隣合う２辺２３，２４の連設部分）にかけて、折り罫線６１が形成されている。以下、この折り罫線６１を「左側面折り罫線６１」という場合がある。
従って、左側面壁６は、正面壁３の上辺３３の他端部３３ｂを頂点とする三角形状に形成されており、且つ、左側面折り罫線６１を稜線として山折りされ、外側に膨らんでいる。
本実施形態では、右側面壁５と左側面壁６とは、略同大同形に形成されており、右側面壁５と左側面壁６とは、左右に対向配置されている。
【００２５】
上記左右側面壁５，６が、正背面壁３，４の間に設けられていることにより、正面壁３及び背面壁４は、その上辺３３，４３から下方に向かうに従って離反した屋根型状となっている。
【００２６】
さらに、上記正面壁３の上辺３３には、上方に延出された正面延出片３５が設けられている。同様に、上記背面壁４の上辺４３には、上方に延出された背面延出片４５が設けられている。
正面延出片３５は、正面壁３の上辺３３と略同幅であり、正面延出片３５の両角部は、円弧状に形成されている（角取り加工）。同様に、背面延出片４５は、背面壁４の上辺４３と略同幅であり、背面延出片４５の両角部は、円弧状に形成されている。
また、正面延出片３５及び背面延出片４５の延出長さは、特に限定されないが、余りに短いと開口を十分に塞ぐことができないので、好ましくは５ｍｍ以上、より好ましくは１０ｍｍ以上、特に好ましくは１５ｍｍ以上である。一方、正面延出片３５及び背面延出片４５の延出長さの上限は、特に限定されないが、余りに長いと収納ケース１の上下長さが長くなりすぎるので、好ましくは５０ｍｍ以下、より好ましくは４０ｍｍ以下である。
【００２７】
本実施形態では、正面壁３及び正面延出片３５と、背面壁４及び背面延出片４５とは、略同大同形状に形成されており、正面壁３及び正面延出片３５と、背面壁４及び背面延出片４５とは、前後に対向配置されている。
【００２８】
次に、図６は、上記収納ケース１を構成する展開シート１０を示す。図６に付した符号のうち、上記収納ケース１の各構成要素に対応する部分については、収納ケース１と同じ符号を付している。また、全ての折り罫線を一点鎖線で表している。
【００２９】
この展開シート１０は、１枚のシート材を打ち抜いて形成されている。
この展開シート１０は、収納ケース１の底面壁２、正面壁３、背面壁４、及び左右側面壁５，６に対応する面部が連なって形成されている。この展開シート１０においては、右側面壁５は、右側面折り罫線５１にて２分されている。該展開シート１０において、２分された右側面壁５の一方の分割片には、糊代片５２が連設されている。また、展開シート１０において、左右側面壁５，６の下辺には、底面壁２を形成する底面形成片２５１がそれぞれ連設されている。
各折り罫線は、シート材を折り曲げ易く型付けできるように形成された線であれば特に限定されず、例えば、シート材を厚み方向に略Ｖ字状に切り込んだハーフカット線、シート材を貫通する短い孔が断続的に形成されたミシン目線などを用いることができる。
上記展開シート１０の各部の構成は、上記収納ケース１の各部に対応しているので、その具体的な説明は省略する。
【００３０】
次に、上記展開シート１０から収納ケース１を組み立てる手順を説明する。
展開シート１０を用い、各折り罫線において折り曲げつつ、糊代片５２を、右側面壁５の他方の分割片に接着する。
このように接着した後、通常、収納ケース１は、扁平状に折り畳まれ、保管・搬送などに供される。
具体的には、糊代片５２を接着した後、右側面折り罫線５１及び左側面折り罫線６１において、正背面壁３，４の内面同士が面接触するように、折り曲げることにより、収納ケース１は扁平状に折り畳まれる。
使用時には、各底面形成片２５１を組み合わせて底面壁２を形成することにより、図１等に示すような、収納ケース１が形成される。
【００３１】
上記収納ケース１は、収納部９内に商品を入れて使用される。
該商品は、特に限定されず、個包装された菓子、その他の固体状食品、おもちゃ、化粧品、下着など任意のものである。
上記収納ケース１は、正面壁３の上辺３３と背面壁４の上辺４３の間に細長い開口を有しつつ、正面壁３と背面壁４が屋根型状となっている。さらに、正面壁３の上辺３３には正面延出片３５が上方に延出され、且つ背面壁４の上辺４３には背面延出片４５が上方に延出されている。この正面延出片３５及び背面延出片４５は、屋根型状となった正面壁３及び背面壁４の傾斜に従い、互いに押さえ合うように上方に延びているので、図５に示すように、正面延出片３５の上方部内面と背面延出片４５の上方部内面が面接触する。このため、正面延出片３５及び背面延出片４５によって、正面壁３の上辺３３と背面壁４の上辺４３の間の、上記開口を塞ぐことができる。従って、収納部９内に収納した商品が不用意に外部へ出ることを防止できる。
【００３２】
本発明の収納ケース１によれば、蓋を用いて開口の開閉作業を行わなくても、正面延出片３５及び背面延出片４５の剛性によって、上記開口を塞ぐことができる。
特に、本実施形態では、正面壁３の折り罫線３１，３２及び背面壁４の折り罫線４１，４２が、左右側面壁５，６側に膨らんだ弧状に形成されている。このため、正面壁３及び背面壁４は、その上辺３３，４３に向かうに従って近づくように、なだらかな弓形の湾曲面となる。従って、上記正面延出片３５の上方部内面と背面延出片４５の上方部内面が強く密着し、上記開口をより確実に塞ぐことができる。このように、上記開口を確実に塞ぐことができるので、収納部９内に粉塵などが入り込むことを防止できる。
【００３３】
また、本発明の収納ケース１は、図７に示すように、使用者が正面壁３の上辺３３の両端部３３ａ，３３ｂ（背面壁４の上辺４３の両端部４３ａ，４３ｂ）に指を当て、両端部３３ａ，３３ｂが近づくように左右側面壁５，６を押圧することにより、正面壁３及び正面延出片３５と背面壁４及び背面延出片４５とが湾曲して外側へ膨らみ、正面延出片３５と背面延出片４５が離反する。その結果、正面壁３の上辺３３と背面壁４の上辺４３の間の開口を開くことができる。かかる開口から、収納された商品を出し入れすることができる。
なお、上記指による押圧を解除すると、正面壁３及び背面壁４は、シート材の復帰力に従い、元の形状に戻り、正面延出片３５及び背面延出片４５によって、上記開口を塞ぐことができる。
【００３４】
また、本実施形態の収納ケース１は、底面壁２が矩形状であり、正面壁３及び背面壁４が底面壁２から上方に向かうに従って扇状に拡がっているため、使用者の興味を喚起しうる形態であり、アイキャッチ性に優れている。
【００３５】
＜第２実施形態＞
本実施形態は、正面延出片部の上辺と背面延出片部の上辺が連設されている収納ケースに関する。
以下、本実施形態の収納ケースについて、上記第１実施形態と異なる構成及び効果について主として説明し、上記第１実施形態と同様の構成及び効果については、その説明を省略し、用語及び符号をそのまま援用する場合がある。
【００３６】
本実施形態の収納ケース１は、図８及び図９に示すように、上記第１実施形態と同様に、底面壁２と、正面壁３及び背面壁４と、右側面壁５及び左側面壁６と、を有し、正面壁３及び背面壁４には、それぞれ折り罫線３１，３２，４１，４２が形成されている。
本実施形態の収納ケース１が、上記第１実施形態と異なる点は、下記の通りである。
本実施形態の収納ケース１は、その正面延出片３５の上辺及び背面延出片４５の上辺が一体的に連設されている。
具体的には、正面延出片３５と背面延出片４５は、その境界に折り罫線７が形成され、該折り罫線７にて正面延出片３５の内面及び背面延出片４５の内面が重なるように折り曲げることにより、正面延出片３５及び背面延出片４５は、その上辺（折り罫線７の形成部分）において連設されている。
また、正面延出片３５の面内には、正面延出片３５の上辺（折り罫線７）と平行に、切取用ミシン目線８１が形成されている。この切取用ミシン目線８１の両端部は、正面壁３の両端部３３ａ，３３ｂに連設されている。
同様に、背面延出片４５の面内には、背面延出片４５の上辺（折り罫線７）と平行に、切取用ミシン目線８２が形成されている。この切取用ミシン目線８２の両端部は、背面壁４の両端部４３ａ，４３ｂに連設されている。
【００３７】
次に、図１０は、本実施形態の収納ケース１を構成する展開シート１０を示す。図１０に付した符号のうち、上記収納ケース１の各構成要素に対応する部分については、収納ケース１と同じ符号を付している。また、全ての折り罫線を一点鎖線で表している。
【００３８】
この展開シート１０は、収納ケース１の正面壁３の正面延出片３５及び背面壁４の背面延出片４５の上辺が連なって形成されている。また、正面延出片３５及び背面延出片４５の面内には、それぞれ切取用ミシン目線８１，８２が形成されている。
この展開シート１０においては、左右側面壁５，６は、右側面折り罫線５１及び左側面折り罫線６１にて２分されている。該展開シート１０において、２分された左右側面壁５，６の一方の分割片には、糊代片５２，６２がそれぞれ連設されている。また、展開シート１０において、左右側面壁５，６の下辺には、底面壁２を形成する底面形成片２５１がそれぞれ連設されている。
【００３９】
上記展開シート１０を用い、正面延出片３５及び背面延出片４５の境界に形成された折り罫線７において折り曲げ、更に、残る各折り罫線において折り曲げつつ、糊代片５２，６２を、左右側面壁５，６の他方の分割片に接着する。
本実施形態の収納ケース１も、通常、扁平状にした状態で、保管・搬送などに供される。
使用時には、収納部９内に商品を入れた後、各底面形成片２５１を組み合わせて底面壁２を形成することにより、図８及び図９に示すような、収納ケース１が形成される。
【００４０】
本実施形態の収納ケース１は、正面延出片３５の上辺及び背面延出片４５の上辺が連設されているので、搬送等の際、押圧力が加わっても、正面延出片３５及び背面延出片４５が不用意に離反することを防止できる。従って、商品を入れた収納ケース１を搬送などする際に、収納部９内に粉塵などが入り込むことを確実に防止できる。
なお、本実施形態の収納ケース１は、切取用ミシン目線８１，８２を利用して、正面延出片３５及び背面延出片４５を上下に２分して、正面延出片３５及び背面延出片４５の上方側を除去することにより、開口を形成することができる。本実施形態の収納ケース１は、このように開口を形成することにより、上記第１実施形態の収納ケース１と同様の構成となる。なお、切取用ミシン目線８１，８２を用いずに、カッターやハサミなどを用いて、正面延出片３５と背面延出片４５の連設部分を切断し、開口を形成しても同様である。
その後、使用者が正面壁３の上辺３３の両端部３３ａ，３３ｂを押圧することにより、正面壁３の上辺３３と背面壁４の上辺４３の間の開口を開くことができ、そこから商品を出し入れすることができる。
また、上記押圧を解除すると、正面壁３及び背面壁４は、元の形状に戻り、正面延出片３５及び背面延出片４５によって、上記開口を塞ぐことができる。
【００４１】
＜第３実施形態＞
本実施形態は、正面壁の折り罫線及び背面壁の折り罫線が直線状に形成されている収納ケースに関する。
以下、本実施形態の収納ケースについて、上記第１実施形態と異なる構成及び効果について主として説明し、上記第１実施形態と同様の構成及び効果については、その説明を省略し、用語及び符号をそのまま援用する場合がある。
【００４２】
本実施形態の収納ケース１は、図１１及び図１２に示すように、上記第１実施形態と同様に、底面壁２と、正面壁３及び背面壁４と、右側面壁５及び左側面壁６と、を有し、正面壁３及び背面壁４には、それぞれ折り罫線３１，３２，４１，４２が形成されている。
本実施形態の収納ケース１が、上記第１実施形態と異なる点は、下記の通りである。
本実施形態の収納ケース１は、正面壁３の上辺３３の一端部３３ａから底面壁２の一つの角部２ａにまで形成された正面右折り罫線３１が、直線状に形成されている。さらに、正面壁３の上辺３３の他端部３３ｂから底面壁２の一つの角部２ａにまで形成された正面左折り罫線３２が、直線状に形成されている。
【００４３】
また、収納ケース１は、背面壁４の上辺４３の一端部４３ａから底面壁２の他の角部２ｂにまで形成された背面右折り罫線４１が、直線状に形成されている。さらに、背面壁４の上辺４３の他端部４３ｂから底面壁２の他の角部２ｂにまで形成された背面左折り罫線４２が、直線状に形成されている。
【００４４】
次に、図１３は、本実施形態の収納ケース１を構成する展開シート１０を示す。図１３に付した符号のうち、上記収納ケース１の各構成要素に対応する部分については、収納ケース１と同じ符号を付している。また、全ての折り罫線を一点鎖線で表している。
【００４５】
この展開シート１０は、正面右折り罫線３１、正面左折り罫線３２、背面右折り罫線４１及び背面左折り罫線４２が直線状に形成されていることを除いて、上記第１実施形態のものと同様である。
【００４６】
本実施形態の収納ケース１は、正面壁３の折り罫線３１，３２及び背面壁４の折り罫線４１，４２が直線状に形成されているので、正面延出片３５の上辺の中央部と上面延出片４５の上辺の中央部が僅かに離反する虞があるが、収納部９内に収納した商品が出るほどの隙間が生じることはない。
【００４７】
＜第４実施形態＞
本実施形態は、正面壁が背面壁に比して長く形成されている収納ケースに関する。
以下、本実施形態の収納ケースについて、上記第１実施形態と異なる構成及び効果について主として説明し、上記第１実施形態と同様の構成及び効果については、その説明を省略し、用語及び符号をそのまま援用する場合がある。
【００４８】
本実施形態の収納ケース１は、図１４及び図１５に示すように、上記第１実施形態と同様に、底面壁２と、正面壁３及び背面壁４と、右側面壁５及び左側面壁６と、を有し、正面壁３及び背面壁４には、それぞれ折り罫線３１，３２，４１，４２が形成されている。
本実施形態の収納ケース１が、上記第１実施形態と異なる点は、下記の通りである。
本実施形態の収納ケース１は、正面右折り罫線３１及び正面左折り罫線３２の上下長さが、背面右折り罫線４１及び背面右折り罫線４２の上下長さよりも、長く形成されている。従って、正面壁３の上下長さが、背面壁４に比して、長く形成されている。なお、正面壁３の上辺３３と背面壁４の上辺４３は、同じ長さである。
また、正面延出片３５の上辺及び背面延出片４５の上辺は、半円弧が２つ並列された形状に形成されている。正面延出片３５及び背面延出片４５をこのように形成したのは、収納ケース１のデザインのためである。
【００４９】
次に、図１６は、本実施形態の収納ケース１を構成する展開シート１０を示す。図１６に付した符号のうち、上記収納ケース１の各構成要素に対応する部分については、収納ケース１と同じ符号を付している。
【００５０】
この展開シート１０は、正面壁３の上下に長く形成されていることに対応して、正面壁３に連設された左右側面壁５，６の２辺２１，２４が、下方に大きく傾斜されている。なお、この２辺２１，２４は、左右側面壁５，６と底面壁２の連設部分であり、折り罫線が形成されている。
【００５１】
本実施形態の収納ケース１は、上記第１実施形態と同様に、正面延出片３５及び背面延出片４５によって、開口を閉塞できる。また、収納ケース１の左右側面壁５，６を押圧することにより、正面延出片３５及び背面延出片４５を離反させ、開口を開くことができる。
また、本実施形態の収納ケース１は、正面壁３が背面壁４に比して長く形成されているので、図１５に示すように、側面視が非対称な収納ケース１を構成できる。このように正面壁３が大面積に形成された収納ケース１は、第１実施形態の収納ケース１に比して、よりアイキャッチ性を向上させることができる。
【００５２】
なお、本実施形態では、正面壁３の折り罫線３１，３２及び背面壁４の折り罫線４１，４２は、下方に向かうに従って互いに離れるように傾斜状に形成されているが、第３実施形態と同様にして、正面壁３の折り罫線３１，３２及び背面壁４の折り罫線４１，４２が、直線状に形成されていてもよい。
かかる変形例の収納ケース１を構成する展開シート１０を、図１７に示す。図１７に付した符号のうち、上記収納ケース１の各構成要素に対応する部分については、収納ケース１と同じ符号を付している。
【００５３】
＜他の実施形態＞
本発明の収納ケース１は、本発明の意図する範囲で様々な態様に変更することができる。
例えば、上記第１〜第４実施形態では、正面壁３の左右の折り罫線３１，３２の下端部が何れも底面壁２の角部２ａまで形成されているが、該左右の折り罫線３１，３２の下端部が、（底面壁２の角部２ａにまで形成されておらず）底面壁２の辺の上方に位置するように形成されていてもよい。かかる左右の折り罫線３１，３２の場合には、正面壁３は、逆台形状となる。なお、背面壁４の左右の折り罫線４１，４２も同様に、左右の折り罫線４１，４２の下端部が、底面壁２の辺の上方に位置するように形成されていてもよい。
【００５４】
また、上記第１実施形態などにおいて、正面壁３の左右の折り罫線３１，３２は、その上端部から下端部までの間が、右側面壁５側に膨らんだ弧状に形成されているが、例えば、図１８に示すように、左右の折り罫線３１，３２が複数（例えば２本）の直線からなり、側面壁５，６側へと膨らんだ屈曲状に形成されていてもよい。
なお、背面壁４の左右の折り罫線４１，４２についても同様に、側面壁５，６側へと膨らんだ屈曲状に形成されていてもよい。
このように正面壁３及び／又は背面壁４の各折り罫線３１，３２，４１，４２が、側面壁５，６側へと膨らんだ屈曲状に形成されていても、上記第１実施形態と同様に、正面延出片３５の上方部内面と背面延出片４５の上方部内面が強く密着する。
【図面の簡単な説明】
【００５５】
【図１】第１実施形態の収納ケースを正面側から視た斜視図。
【図２】同収納ケースを背面側から視た斜視図。
【図３】（ａ）は、同収納ケースの正面図、（ｂ）は、同収納ケースの背面図。
【図４】同収納ケースの右側面図。
【図５】図３（ａ）のI−I線で切断した縦切断端面図。
【図６】同収納ケースを構成する展開シートの平面図。但し、図６に於いて、展開シートに形成された全ての折り罫線を一点鎖線で表す（他の展開シートを示す図も同様である）。
【図７】同収納ケースの使用状態を正面側から視た斜視図。
【図８】第２実施形態の収納ケースを正面側から視た斜視図。
【図９】図８のII−II線で切断した縦切断端面図。
【図１０】同収納ケースを構成する展開シートの平面図。
【図１１】第３実施形態の収納ケースを正面側から視た斜視図。
【図１２】図１１のIII−III線で切断した縦切断端面図。
【図１３】同収納ケースを構成する展開シートの平面図。
【図１４】第４実施形態の収納ケースを正面側から視た斜視図。
【図１５】同右側面図。
【図１６】同収納ケースを構成する展開シートの平面図。
【図１７】第４実施形態の変形例に係る収納ケースを構成する展開シートの平面図。
【図１８】他の実施形態に係る収納ケースの正面図。
【符号の説明】
【００５６】
１…収納ケース、２…底面壁、３…正面壁、３１，３２…正面壁の左右の折り罫線、３３ａ…正面壁の上辺の一端部、３３ｂ…正面壁の上辺の他端部、３５…正面延出片、４…背面壁、４１，４２…背面壁の左右の折り罫線、４３ａ…背面壁の上辺の一端部、４３ｂ…背面壁の上辺の他端部、４５…背面延出片、５…右側面壁、５１…右側面壁の折り罫線、６…左側面壁、６１…左側面壁の折り罫線
【図１】
2008285197.tif 000003
【図２】
2008285197.tif 000004
【図３】
2008285197.tif 000005
【図４】
2008285197.tif 000006
【図５】
2008285197.tif 000007
【図６】
2008285197.tif 000008
【図７】
2008285197.tif 000009
【図８】
2008285197.tif 000010
【図９】
2008285197.tif 000011
【図１０】
2008285197.tif 000012
【図１１】
2008285197.tif 000013
【図１２】
2008285197.tif 000014
【図１３】
2008285197.tif 000015
【図１４】
2008285197.tif 000016
【図１５】
2008285197.tif 000017
【図１６】
2008285197.tif 000018
【図１７】
2008285197.tif 000019
【図１８】
2008285197.tif 000020